(57)【特許請求の範囲】
【請求項１】
複数の噴射ヘッダーを備え、該噴射ヘッダーに備えられる噴射ノズルから噴射される冷却媒体を用いて鋼材を冷却可能な、鋼材の冷却装置であって、
前記噴射ヘッダーの前記噴射ノズルから噴射される、前記冷却媒体の流量を測定する流量測定手段と、
前記噴射ヘッダーへと供給される、前記冷却媒体の圧力を測定する圧力測定手段と、
前記冷却媒体を噴射すべき前記噴射ノズルが備えられる、前記噴射ヘッダーの組合せを記憶する組合せ記憶手段と、
前記組合せにかかる前記噴射ヘッダーの前記噴射ノズルから噴射される、前記冷却媒体の標準流量を記憶する流量記憶手段と、
前記組合せにかかる前記噴射ヘッダーへと供給される、前記冷却媒体の標準圧力を記憶する圧力記憶手段と、
前記組合せにかかる前記噴射ヘッダーの前記噴射ノズルから噴射される前記冷却媒体の流量変動特性パラメータ、及び、前記組合せにかかる前記噴射ヘッダーへと供給される前記冷却媒体の圧力変動特性パラメータ、を記憶する変動記憶手段と、
前記流量測定手段によって測定された流量Ａ１と前記流量記憶手段によって記憶された流量Ａ２とを比較し、前記流量変動特性パラメータを修正する第１の修正手段と、
前記圧力測定手段によって測定された圧力Ｘ１と前記圧力記憶手段によって記憶された圧力Ｘ２とを比較し、前記圧力変動特性パラメータを修正する第２の修正手段と、
を備えることを特徴とする、鋼材の冷却装置。
【請求項２】
複数の噴射ヘッダーを備え、該噴射ヘッダーに備えられる噴射ノズルから噴射される冷却媒体を用いて鋼材を冷却可能な冷却装置を用いる鋼材の冷却方法であって、
前記噴射ヘッダーの前記噴射ノズルから噴射される、前記冷却媒体の流量を測定する流量測定手段と、
前記冷却媒体を噴射すべき前記噴射ノズルが備えられる、前記噴射ヘッダーの組合せを記憶する組合せ記憶手段と、
前記組合せにかかる前記噴射ヘッダーの前記噴射ノズルから噴射される、前記冷却媒体の標準流量を記憶する流量記憶手段と、
少なくとも、前記組合せにかかる前記噴射ヘッダーの前記噴射ノズルから噴射される、前記冷却媒体の流量変動特性パラメータを記憶する変動記憶手段とが、前記冷却装置に備えられ、
前記流量測定手段によって測定された流量Ｂ１と前記流量記憶手段によって記憶された流量Ｂ２との比Ｒ１の値を用いて、前記流量変動特性パラメータを修正し、修正後の流量変動特性パラメータを用いて、前記組合せにかかる前記噴射ヘッダーの熱伝達係数を修正することを特徴とする、鋼材の冷却方法。
【請求項３】
さらに、前記噴射ヘッダーへと供給される、前記冷却媒体の圧力を測定する圧力測定手段と、
前記組合せにかかる前記噴射ヘッダーへと供給される、前記冷却媒体の標準圧力を記憶する圧力記憶手段とが、前記冷却装置に備えられるとともに、
さらに、前記組合せにかかる前記噴射ヘッダーへと供給される、前記冷却媒体の圧力変動特性パラメータが、前記変動記憶手段に記憶され、
前記圧力測定手段によって測定された圧力Ｙ１と前記圧力記憶手段によって記憶された圧力Ｙ２との比Ｒ２の値を用いて、前記圧力変動特性パラメータを修正し、修正後の圧力変動特性パラメータ、及び、前記修正後の流量変動特性パラメータを用いて、前記組合せにかかる前記噴射ヘッダーの熱伝達係数を修正することを特徴とする、請求項２に記載の鋼材の冷却方法。
【請求項４】
請求項２又は３に記載の鋼材の冷却方法を含むことを特徴とする、鋼材の製造方法。
【請求項５】
請求項１に記載の鋼材の冷却装置の前記流量測定手段によって測定された流量Ｃ１と前記流量記憶手段によって記憶された流量Ｃ２との比Ｒ３の値を用いて、前記噴射ヘッダーに備えられる前記噴射ノズルの詰まり状況を調査することを特徴とする、鋼材の冷却装置の冷却能力診断方法。
【発明の詳細な説明】
【技術分野】
【０００１】
本発明は、たとえば鋼材に冷却水を噴射するような、複数の噴射ヘッダーを有する鋼材の冷却装置、該冷却装置を用いて鋼材を冷却する鋼材の冷却方法、該冷却方法を用いる鋼材の製造方法、及び、上記冷却装置の冷却能力を診断する冷却能力診断方法に関する。
【背景技術】
【０００２】
ノズルから噴射される冷却媒体の流量を調整し、被冷却材を冷却する設備として、圧延中の鋼板に冷却水を直接噴射して該鋼板を冷却する冷却装置等が知られている。このような冷却装置には、通常、複数の噴射ヘッダーが設けられ、さらに１つの噴射ヘッダーには複数の噴射ノズルが設置されている。そして、選択された噴射ヘッダー単位にＯＮ・ＯＦＦ制御することにより、冷却水量を応答良く調整して鋼板を目標温度にしている。
【０００３】
使用する冷却水の質が必ずしも上水等の高いものとは限らず、特に比較的不純物含有量の高い工業用水を使用する場合には、継続使用によって、噴射ヘッダーに取り付けられている複数の噴射ノズルに水垢が溜まったり、ゴミが付着したりすることにより、特有の噴射ヘッダーのみ噴射流量が低下することがある。このようにして噴射流量が低下すると、鋼板の冷却が不十分となるため、製造鋼板の品質が低下する。したがって、噴射ヘッダーの異常判断を定期的に実施する必要がある。
【０００４】
このほか、噴射ヘッダー内の噴射ノズルを交換しない場合には、当該噴射ノズルから噴射される冷却水の流量や噴射ヘッダーへと供給される冷却水の圧力を把握し、冷却条件にフィードバックさせて鋼板を十分に冷却する必要がある。
【０００５】
冷却条件にフィードバックさせる技術としては、例えば特許文献１に、熱延鋼板で水冷区画前後での実績温度から水冷熱伝達係数を修正し、修正後の水冷熱伝達係数を用いて冷却水量を決定することを特徴とする、熱間仕上げ圧延後の巻取温度制御方法に関する技術が開示されている。この技術によれば、空冷、水冷、それぞれの熱伝達係数を精度良く算出することが可能となり、鋼帯の巻取り温度制御の精度が向上する。また、バンク毎の水冷熱伝達係数の違いをも算出することが可能となり、ノズル詰まり等による各バンクの経時変動を知ることができる、としている。
【０００６】
また、噴射ノズルの異常判断を行う技術としては、例えば特許文献２に、流調弁の開度を調整することにより冷却媒体のスプレー流量を制御するスプレーノズルにおいて、基準流量とその基準流量に対する基準流調弁開度及びスプレーノズルの基準背圧を予め定めておき、操業中に、設定した基準流量に達した時の流調弁開度実績及び背圧実績の関係からノズルの異常判断をする、スプレーノズル異常検出装置に関する技術が開示されている。この技術によれば、スプレーノズルの異常検出を、短期間でかつ正確に行えるようにすることができる、としている。なお、特許文献２におけるスプレー流量は上記「冷却水量」に相当し、スプレーノズルは上記「噴射ノズル」に相当する。    
【特許文献１】特開２０００−２７１６２６号公報
【特許文献２】特開平７−１１２２５４号公報
【発明の開示】
【発明が解決しようとする課題】
【０００７】
しかし、特許文献１に開示されている技術では、冷却するたびにバンク前後の温度実績から温度計に挟まれたバンクの冷却能力の補正係数を遂次学習し、補正された係数を用いることで温度制御の高精度化を図っている。しかし、かかる技術では、係数の補正が、水量実績のみによるものか、それとも、水量実績以外の要因（例えば、季節要因等）が取り込まれたものか、の判断をすることができないため、十分な精度での温度制御には難がある、という問題があった。
【０００８】
また、流調弁の開度を調整して流量制御を行う特許文献２に開示されている技術は、比較的移動速度の遅い被冷却物を対象としている。ところが、高速で搬送される鋼板を冷却する場合には、応答性に優れた高精度の流量制御は不可能である。このため、移動速度の速い冷却対象の温度制御を行う方法として、複数の噴射ヘッダーを持ち、噴射ヘッダーのＯＮ・ＯＦＦを制御することにより冷却媒体の噴射流量を瞬時に得ることを特徴とした冷却方式がある。この方式は、流調弁の開度調整ではなく選択した噴射ヘッダーの数だけＯＮすることにより、冷却水量を即座に調整する。したがって、噴射ヘッダーのＯＮ・ＯＦＦを制御することにより冷却水量を調整する冷却装置（高速で搬送される鋼板を冷却可能な冷却装置）においては、特許文献２に開示されている方法での噴射ノズルの異常判断は不可能である、という問題があった。
【０００９】
そこで、本発明では、鋼材の温度制御の高精度化を図ることが可能な、鋼材の冷却装置、鋼材の冷却方法、鋼材の製造方法、及び、高速で搬送される鋼材を冷却し得る冷却装置内の、噴射ノズルの異常判断を行うことが可能な、冷却能力診断方法を提供することを課題とする。
【課題を解決するための手段】
【００１０】
本発明は、上記課題を達成するためになされたものであり、以下の知見を得て、完成させた。
１）使用する噴射ヘッダーの組み合わせ方や、噴射ヘッダーへと供給される冷却媒体の背圧により、噴射ノズルから噴射される冷却媒体の流量特性が異なる。
２）噴射ヘッダー・噴射ノズルの製作誤差により、上記流量特性が異なる。
３）経年変化により、上記流量特性が異なる。
【００１１】
以下、本発明について説明する。なお、本発明の理解を容易にするため、添付図面の参照符号及び以下の説明で使用する記号を括弧書きにて付記するが、それにより本発明が図示の形態に限定されるものではない。
【００１２】
第１の本発明は、複数の噴射ヘッダー（２、２、…）を備え、噴射ヘッダーに備えられる噴射ノズル（８、８、…）から噴射される冷却媒体（９、９、…）を用いて鋼材（１）を冷却可能な、鋼材の冷却装置（１００）であって、噴射ヘッダーの噴射ノズルから噴射される、冷却媒体の流量を測定する流量測定手段（７）と、噴射ヘッダーへと供給される、冷却媒体の圧力を測定する圧力測定手段（６）と、冷却媒体を噴射すべき噴射ノズルが備えられる、噴射ヘッダーの組合せを記憶する組合せ記憶手段（１２）と、上記組合せにかかる噴射ヘッダーの噴射ノズルから噴射される、冷却媒体の標準流量を記憶する流量記憶手段（１２）と、上記組合せにかかる噴射ヘッダーへと供給される、冷却媒体の標準圧力を記憶する圧力記憶手段（１２）と、上記組合せにかかる噴射ヘッダーの噴射ノズルから噴射される冷却媒体の流量変動特性パラメータ（β（ｎ））、及び、上記組合せにかかる噴射ヘッダーへと供給される冷却媒体の圧力変動特性パラメータ（α（ｎ））、を記憶する変動記憶手段（１２）と、流量測定手段によって測定された流量Ａ１と流量記憶手段によって記憶された流量Ａ２とを比較し、流量変動特性パラメータを修正する第１の修正手段（１１）と、圧力測定手段によって測定された圧力Ｘ１と圧力記憶手段によって記憶された圧力Ｘ２とを比較し、圧力変動特性パラメータを修正する第２の修正手段（１１）と、を備えることを特徴とする、鋼材の冷却装置（１００）により、上記課題を解決する。
【００１３】
ここに、冷却媒体（９、９、…）の具体例としては、工業用水等の水を挙げることができ、鋼材（１）の具体例としては、熱間圧延鋼板や継目無鋼管等を挙げることができる。さらに、流量測定手段（７）の具体例としては、噴射ノズル（８、８、…）から噴射される冷却水の流量を測定可能な流量計等を挙げることができ、圧力測定手段（６）の具体例としては、噴射ヘッダー（２、２、…）へと供給される冷却水の圧力を測定可能な圧力計等を挙げることができる。加えて、組合せ記憶手段（１２）、流量記憶手段（１２）、圧力記憶手段（１２）、及び、変動記憶手段（１２）の具体例としては、冷却媒体の圧力や流量等を制御可能な制御手段（例えば、プロセスコンピュータ等。以下において同じ。）に備えられるＲＯＭ等を、第１の修正手段（１１）及び第２の修正手段（１１）の具体例としては、上記制御手段に備えられるＣＰＵ等を、それぞれ挙げることができる。
【００１４】
一方、本発明の「冷却媒体を噴射すべき噴射ノズルが備えられる噴射ヘッダーの組合せ」とは、本発明の鋼材の冷却装置に備えられる複数の噴射ヘッダーのうち、搬送される鋼材を冷却する際の各冷却条件で使用される噴射ヘッダーの組合せを意味する。さらに、「上記組合せにかかる噴射ヘッダーの噴射ノズルから噴射される、冷却媒体」とは、組合せ記憶手段によって記憶された組合せから選択された噴射ヘッダーに備えられる噴射ノズルから噴射される（以下、「噴射ヘッダーから噴射される」ということがある。）冷却媒体を意味する。加えて、「冷却媒体の標準流量」とは、流量測定手段によって測定される、選択された噴射ヘッダーから噴射された冷却媒体の流量を意味する。さらに、「上記組合せにかかる噴射ヘッダーへと供給される、冷却媒体」とは、組合せ記憶手段によって記憶された組合せから選択された噴射ヘッダーへと供給される冷却媒体を意味し、「冷却媒体の標準圧力」とは、圧力測定手段によって測定される、選択された噴射ヘッダーへと供給される冷却媒体の圧力を意味する。
【００１５】
他方、「上記組合せにかかる噴射ヘッダーの噴射ノズルから噴射される冷却媒体の流量変動特性パラメータ（β（ｎ））」とは、鋼材を冷却する際の冷却条件に対応して、上記組合せ記憶手段に記憶された組合せが選択される時に、選択された噴射ヘッダーから噴射される、冷却媒体の流量特性を示すパラメータを意味する。ここで、上述のように、使用される噴射ヘッダーの本数によって、噴射される冷却媒体の流量が変動し得る。そのため、流量変動特性パラメータの具体例としては、後述するように、過去の冷却実績等から、噴射ヘッダーの各組合せと対応する冷却媒体流量の測定結果を記憶しておき、当該記憶された結果を新たな鋼材を冷却する際のデータとして利用する場合における、記憶された上記測定結果から導出される係数等を挙げることができる。
【００１６】
さらに、「上記組合せにかかる噴射ヘッダーへと供給される冷却媒体の圧力変動特性パラメータ（α（ｎ））」とは、鋼材を冷却する際の冷却条件に対応して、上記組合せ記憶手段に記憶された組合せが選択される時に、選択された噴射ヘッダーへと供給される、冷却媒体の圧力特性を示すパラメータを意味する。ここで、上述のように、使用される噴射ヘッダーの本数によって、噴射ヘッダーへと供給される冷却媒体の圧力が変動し得る。そのため、圧力変動特性パラメータの具体例としては、後述するように、過去の冷却実績等から、噴射ヘッダーの各組合せと対応する冷却媒体圧力の測定結果を記憶しておき、当該記憶された結果を新たな鋼材を冷却する際のデータとして利用する場合における、記憶された上記測定結果から導出される係数等を挙げることができる。
【００１７】
第２の本発明は、複数の噴射ヘッダー（２、２、…）を備え、噴射ヘッダーに備えられる噴射ノズル（８、８、…）から噴射される冷却媒体（９、９、…）を用いて鋼材（１）を冷却可能な冷却装置（１００）を用いる鋼材の冷却方法であって、噴射ヘッダーの噴射ノズルから噴射される、冷却媒体の流量を測定する流量測定手段（７）と、冷却媒体を噴射すべき噴射ノズルが備えられる、噴射ヘッダーの組合せを記憶する組合せ記憶手段（１２）と、上記組合せにかかる噴射ヘッダーの噴射ノズルから噴射される、冷却媒体の標準流量を記憶する流量記憶手段（１２）と、少なくとも、上記組合せにかかる噴射ヘッダーの噴射ノズルから噴射される、冷却媒体の流量変動特性パラメータ（β（ｎ））を記憶する変動記憶手段（１２）とが、上記冷却装置に備えられ、流量測定手段によって測定された流量Ｂ１と流量記憶手段によって記憶された流量Ｂ２との比Ｒ１の値を用いて、流量変動特性パラメータを修正し、修正後の流量変動特性パラメータを用いて、上記組合せにかかる噴射ヘッダーの熱伝達係数（Ｈ）を修正することを特徴とする、鋼材の冷却方法により、上記課題を解決する。
【００１８】
ここに、本発明にかかる冷却媒体（９、９、…）、鋼材（１）、流量測定手段（７）、組合せ記憶手段（１２）、流量記憶手段（１２）、及び、変動記憶手段（１２）の具体例としては、上記第１の本発明に関する説明で例示したもの等を挙げることができる。さらに、流量変動特性パラメータ（β（ｎ））の具体例も、上記第１の本発明に関する説明で例示したもの等を挙げることができる。
【００１９】
また、上記第２の本発明において、さらに、噴射ヘッダーへと供給される、冷却媒体の圧力を測定する圧力測定手段（６）と、上記組合せにかかる噴射ヘッダーへと供給される、冷却媒体の標準圧力を記憶する圧力記憶手段（１２）とが、冷却装置（１００）備えられるとともに、さらに、上記組合せにかかる噴射ヘッダーへと供給される、冷却媒体の圧力変動特性パラメータ（α（ｎ））が、変動記憶手段（１２）に記憶され、圧力測定手段によって測定された圧力Ｙ１と圧力記憶手段によって記憶された圧力Ｙ２との比Ｒ２の値を用いて、圧力変動特性パラメータを修正し、修正後の圧力変動特性パラメータ、及び、上記修正後の流量変動特性パラメータを用いて、上記組合せにかかる噴射ヘッダーの熱伝達係数（Ｈ）を修正することが好ましい。
【００２０】
ここに、本発明にかかる圧力測定手段（６）及び圧力記憶手段（１２）の具体例としては、上記第１の本発明に関する説明で例示したもの等を挙げることができる。さらに、圧力変動特性パラメータ（α（ｎ））の具体例も、上記第１の本発明に関する説明で例示したもの等を挙げることができる。
【００２１】
第３の本発明は、上記第２の本発明にかかる鋼材の冷却方法を含むことを特徴とする、鋼材の製造方法により、上記課題を解決する。
【００２２】
第４の本発明は、上記第１の本発明にかかる鋼材の冷却装置（１００）の流量測定手段（７）によって測定された流量Ｃ１と流量記憶手段（１２）によって記憶された流量Ｃ２との比Ｒ３の値を用いて、噴射ヘッダー（２、２、…）に備えられる噴射ノズル（８、８、…）の詰まり状況を調査することを特徴とする、鋼材の冷却装置の冷却能力診断方法により、上記課題を解決する。
【発明の効果】
【００２３】
第１の本発明によれば、鋼材（１）を冷却する際に、鋼材へと噴射される冷却媒体（９、９、…）の流量特性、及び、噴射ヘッダーへと供給される冷却媒体（９、９、…）の圧力特性を考慮することができるので、高精度の温度制御が可能な、鋼材の冷却装置（１００）を提供できる。加えて、第１の本発明によれば、高精度の温度制御が可能になるため、熱間圧延機スタンド間鋼板冷却装置のほか、熱間圧延後の巻き取り鋼板冷却装置、厚板鋼板冷却装置、及び、継目無鋼管冷却装置など、搬送速度が比較的速い鋼材を対象とした冷却装置に適用可能な、鋼材の冷却装置（１００）を提供できる。
【００２４】
第２の本発明によれば、実操業で使用する噴射ヘッダー（２、２、…）の組合せにかかる冷却媒体（９、９、…）の流量特性を比較でき、流量変動特性を精度良く把握することができるので、高精度な温度制御が可能な、鋼材の冷却方法を提供できる。そして、温度制御の高精度化を図ることができるので、第２の本発明を、搬送速度が比較的速い鋼材を冷却する際の冷却方法として用いることができる。
また、第２の本発明において、さらに、圧力測定手段（６）及び圧力記憶手段（１２）が冷却装置に備えられ、冷却媒体（９、９、…）の圧力変動特性パラメータ（α（ｎ））が変動記憶手段（１２）に記憶されていれば、上記冷却媒体の流量特性に加えて、実操業で使用する噴射ヘッダー（２、２、…）の組合せにかかる冷却媒体の圧力特性をも比較でき、流量変動特性及び圧力変動特性を精度良く把握することができるので、より一層高精度な温度制御が可能な、鋼材の冷却方法を提供できる。
【００２５】
第３の本発明によれば、鋼材の温度制御の高精度化を図ることができるので、高品質の鋼材を製造し得る、鋼材の製造方法を提供できる。
【００２６】
第４の本発明によれば、短時間でノズル交換の定量的判断が可能な、冷却能力診断方法を提供できる。
【発明を実施するための最良の形態】
【００２７】
以下、本発明の実施の形態について説明する。
【００２８】
１．鋼材の冷却装置
図１は、本発明の鋼材の冷却装置（以下、単に「冷却装置」ということがある。）を、熱間圧延機スタンド間鋼板冷却装置として用いる場合の形態例を示す概略図であり、図２は、噴射ヘッダー２に備えられる噴射ノズル８、８、…の様子を示す概略図である。以下、図１及び図２を適宜参照しつつ、本発明の冷却装置について説明する。
【００２９】
図示のように、本発明の冷却装置１００は、複数の噴射ノズル８、８、…を備える噴射ヘッダー２、２、…を複数具備するとともに、噴射ヘッダー２、２、…から噴射される冷却水９、９、…の流量を測定可能な流量測定手段（流量計）７と、噴射ヘッダー２、２、…へと供給される冷却水の圧力（以下、「背圧」ということがある。）を測定可能な圧力測定手段（圧力計）６と、を備えている。さらに、噴射ヘッダー２、２、…の組合せを記憶する組合せ記憶手段、上記組合せと対応する噴射ヘッダー２、２、…から噴射される冷却水９、９、…の標準流量Ａ２を記憶する流量記憶手段、上記組合せと対応する噴射ヘッダー２、２、…へと供給される冷却水の標準圧力Ｘ２を記憶する圧力記憶手段、及び、上記組合せにかかる噴射ヘッダー２、２、…から噴射される冷却水９、９、…の流量変動特性パラメータβ（ｎ）及び当該噴射ヘッダー２、２、…へと供給される冷却水の圧力変動特性パラメータα（ｎ）を記憶する変動記憶手段、としての機能を有するＲＯＭ１２、並びに、流量計７によって測定された流量とＲＯＭ１２に記憶された標準流量とを比較し上記β（ｎ）の値を適宜修正する第１の修正手段、及び、圧力計６によって測定された冷却水の背圧とＲＯＭ１２に記憶された標準圧力とを比較し上記α（ｎ）の値を適宜修正する第２の修正手段、としての機能を有するＣＰＵ１１、を具備する制御手段（プロセスコンピュータ）１０が備えられている。冷却装置１００に備えられる噴射ヘッダー２、２、…は、鋼板１を圧延する各圧延ロール３１、３１、…の間に設置され、当該圧延ロール３１、３１、…によって圧延された鋼板１は、巻き取りロール３２によって巻き取られる。
【００３０】
冷却装置１００において、噴射ヘッダー２、２、…には、管路４が接続されており、冷却水ポンプ３によって圧送される冷却水が管路４を通って、各噴射ヘッダー２、２、…へと供給される。そして、上記圧力計６及び流量計７が管路４に設けられ、当該管路４には、さらに、噴射ヘッダー２、２、…から噴射される冷却水を制御するためのＯＮ・ＯＦＦ弁５、５、…が設けられている。圧力計６及び流量計７による測定結果は、プロセスコンピュータ１０に備えられる入力ポート１５等を介して、ＣＰＵ１１へと伝えられる。
【００３１】
熱間圧延機の通常運転時には、プロセスコンピュータ１０のＣＰＵ１１により、鋼板全長方向に配置された噴射ヘッダー２、２、…の組合せ、及び、当該噴射ヘッダー２、２、…へと供給される冷却水の背圧が決定される。このとき、鋼板１の冷却に使用される噴射ヘッダー２、２、…の選択は、ＲＯＭ１２に記憶された組合せに従う。ＲＯＭ１２に記憶された圧力変動特性パラメータα（ｎ）及び流量変動特性パラメータβ（ｎ）を用い、ＣＰＵ１１の処理を経て熱伝達係数Ｈを適宜修正することにより、鋼板１の冷却に必要とされる背圧及び組合せが決定される。なお、ＲＡＭ１３は、ＣＰＵ１１の作業領域等として機能する。
【００３２】
ＣＰＵ１１で決定された上記噴射ヘッダー２、２、…の組合せ、及び、冷却水の背圧に関する情報は、プロセスコンピュータ１０に備えられる出力ポート１６を介して、プログラマブル ロジック コントローラ（ＰＬＣ）２０へと伝えられる。このようにしてＰＬＣ２０へと伝えられた上記情報は、入力ポート２５を経てＣＰＵ２１へと伝えられる。ＰＬＣ２０のＣＰＵ２１では、上記情報に加え、ＲＯＭ２２に記憶された情報等を用いた処理が行われる。そして、ＣＰＵ２１における処理結果を、出力ポート２６を介してＯＮ・ＯＦＦ弁５、５、…、及び／又は、冷却水ポンプ３へ当該処理結果を伝えることにより、ＯＮ・ＯＦＦ弁５、５、…、及び／又は、冷却水ポンプ３の動作を制御する。本発明の冷却装置１００によれば、上記手順により、噴射ヘッダー２、２、…から冷却水９、９、…を噴射させ、鋼板１を冷却することができる。
【００３３】
本発明の冷却装置１００では、流量計７によって測定された流量Ａ１と、ＲＯＭ１２に記憶された流量Ａ２との比が、所定条件（例えば、Ａ１／Ａ２≦０．９７又はＡ１／Ａ２≧１．０３等）に該当すると、上記流量Ａ１の値及びＲＯＭ１２に記憶された計算式（後述）を用いた処理がＣＰＵ１１で行われ、流量変動特性パラメータβ（ｎ）が修正される。また、圧力計６によって測定された圧力Ｘ１と、ＲＯＭ１２に記憶された圧力Ｘ２との比が、所定条件（例えば、Ｘ１／Ｘ２≦０．９７又はＸ１／Ｘ２≧１．０３等）に該当すると、上記圧力Ｘ１の値及びＲＯＭ１２に記憶された計算式（後述）を用いた処理がＣＰＵ１１で行われ、圧力変動特性パラメータα（ｎ）が修正される。そして、α（ｎ）及び／又はβ（ｎ）が修正されると、当該修正されたパラメータを用いて熱伝達係数Ｈが修正され、例えば、上記測定後に冷却される鋼板の冷却条件に、当該修正された熱伝達係数Ｈが反映される。
なお、圧力変動特性パラメータα（ｎ）、流量変動特性パラメータβ（ｎ）、及び、熱伝達係数Ｈについては、本発明にかかる鋼材の冷却方法、及び製造方法の欄で説明する。
【００３４】
このように、本発明の冷却装置１００によれば、圧力計６及び流量計７による測定結果Ｘ１及びＡ１、並びに、ＲＯＭ１２に記憶された標準流量Ａ２、標準圧力Ｘ２等の各種情報を用いて鋼板１を冷却することができる。したがって、本発明の冷却装置１００を用いれば、例えば、噴射ヘッダー２、２、…から噴射されて測定された冷却水の流量に関する情報を鋼板の冷却条件に反映することができるので、冷却対象である鋼板１の温度予測精度を良好に保つことが可能になる。
【００３５】
２．鋼材の冷却方法、及び製造方法
噴射ヘッダーや噴射ノズルを初めて設置するとき、又は、噴射ノズルを交換した時に、鋼材の冷却装置に備えられる複数の噴射ヘッダーのうち、代表的な噴射ヘッダーの選択パターン（組合せ）と、当該選択パターンで選択された噴射ヘッダーへと供給される冷却媒体の圧力（標準圧力Ｙ２（＝Ｘ２））とを、冷却装置の記憶手段（組合せ記憶手段、圧力記憶手段）に記憶させ、これを基準パターンとする。なお、基準パターンは、例えば、実操業で使用する代表的なパターンとすることが好ましい。この理由は、噴射ヘッダーの選択パターンや噴射ヘッダーへと供給される冷却媒体（以下、「冷却水」という。）の圧力により、噴射ヘッダーから噴射される冷却水の流量特性に違いが生じるからであり、実操業で使用する代表的な部分（例えば、冷却水の流量特性等）を管理することが、鋼材の冷却温度の精度向上につながるからである。
以下、図１及び図２を適宜参照しつつ、本発明の鋼材の冷却方法、及び製造方法について説明する。
【００３６】
本発明にかかる鋼材の冷却方法では、記憶手段（ＲＯＭ１２）に記憶された上記基準パターンに従って、噴射ヘッダー２、２、…から冷却水９、９、…を噴射させながら、連続的に、冷却水９、９、…の流量を測定し、これを基準流量（標準流量Ｂ２（＝Ａ２））とする。このとき、噴射ヘッダー２、２、…の選択パターンや噴射ヘッダー２、２、…へと供給される冷却水の背圧を変更して、複数の基準パターンを用意することもできる。複数の基準パターンが用意される場合の具体例としては、実操業の冷却パターンが複数存在しパターン毎に使用される噴射ヘッダーの数量が異なる場合に、噴射ヘッダーの数量と基準パターンとが一対一で対応するように複数の基準パターンが設定される場合等を挙げることができる。
【００３７】
そして、登録した上記基準パターンに従って冷却水９、９、…を噴射し、定期的に冷却水９、９、…の流量を測定する。測定された冷却水流量Ｂ１と標準流量Ｂ２との比Ｒ１の値を用いれば、噴射ノズル８、８、…の詰まり状況を正確に把握することができる。さらに、このようにして把握された情報をＣＰＵ１１へとフィードバックして、流量を制御すれば、鋼板の温度制御の高精度化を図ることが可能になる。このほか、上記流量測定に加えて、噴射ヘッダー２、２、…へと供給される冷却水の背圧Ｙ１をも測定して当該測定結果をＣＰＵ１１へフィードバックし、ＲＯＭ１２に記憶された上記圧力Ｙ２とＹ１との比Ｒ２及び上記比Ｒ１の値に基づいて、流量を制御しても良い。上述のように、噴射ヘッダーから噴射される冷却水の流量は、噴射ヘッダーへと供給される冷却水の背圧にも影響されるため、このようにすれば、鋼板の温度制御の高精度化を図ることが容易になる。加えて、かかる冷却方法を鋼材の製造方法へと適用すれば、製造鋼板の高品質化を図ることが可能になる。
【００３８】
ここで、上記比Ｒ１の値を用いた流量制御が適用される冷却設備の具体例としては、冷却水の供給源に高架水槽等が用いられる冷却設備や工業用水本管から水を直接取り出すような冷却設備等、噴射ヘッダーへと供給される冷却水の背圧が固定されている冷却設備を挙げることができる。このような冷却設備では、流量しか調整できない。そのため、流量変動特性パラメータβ（ｎ）のみを修正し、当該修正後の流量変動特性パラメータβ（ｎ）を用いて熱伝達係数を修正し、修正した熱伝達係数Ｈに基づいて冷却水を噴射すべき噴射ヘッダー数を増減することで、鋼板の冷却に必要な流量が確保される。Ｒ１の値が１より小さい場合には、流量を増やす（噴射ヘッダー数を増やす）、Ｒ１の値がほぼ１の場合には流量変動なし（噴射ヘッダー数を維持する）、Ｒ１の値が１より大きい場合には、流量を減らす（噴射ヘッダー数を減らす）等の処理が行われる。なお、この処理をオンライン中（鋼板の冷却中）に行うと、冷却条件が冷却中に変わるため、被冷却材の性能ばらつきの原因となる危険性がある。したがって、上記処理は、被冷却材の搬送前又は搬送後に行うことが好ましい。
【００３９】
また、上記比Ｒ１及びＲ２の値を用いた制御が適用される冷却設備の具体例としては、背圧制御系を有し、必要とされる冷却水の流量を確保するために背圧を制御し得る冷却設備等（例えば、図１参照）を挙げることができる。このように、流量及び背圧を制御可能な冷却設備では、圧力変動特性パラメータα（ｎ）及び流量変動特性パラメータβ（ｎ）を修正する。そして、修正後の両パラメータ（α（ｎ）及びβ（ｎ））を用いて熱伝達係数Ｈを修正し、修正後の熱伝達係数Ｈに基づいて冷却水を噴射すべき噴射ヘッダー数を増減することで、鋼板の冷却に必要な流量が確保される。ここで、噴射ヘッダー数を最大にしても冷却水の流量が不足する場合には、背圧を増加させる等により対応することができる。
【００４０】
このように、Ｒ１、又は、Ｒ１及びＲ２の値を用いて冷却水の流量を調整することで、冷却水流量制御の高精度化を図ることができ、鋼材の温度制御の高精度化を図ることができる。したがって、本発明によれば、製造鋼板の高品質化を図ることが可能になる。
なお、上記冷却装置１００によれば、噴射ヘッダー２、２、…や噴射ノズル８、８、…を交換した時、または、冷却水の流量特性の変化が検出された時に、圧力変動特性パラメータα（ｎ）及び／又は流量変動特性パラメータβ（ｎ）を修正できるので、当該修正後のパラメータα（ｎ）及びβ（ｎ）を用いて鋼板１を冷却することができる。
【００４１】
ここで、圧力変動特性パラメータα（ｎ）及び流量変動特性パラメータβ（ｎ）は、冷却水９、９、…を噴射する時に噴射ヘッダー２、２、…が受け持つ冷却能力を示す指標であり、以下のようにして求めることができる。
【００４２】
まず、圧力変動特性パラメータα（ｎ）及び流量変動特性パラメータβ（ｎ）を求める際の基準背圧（例えば、３００［ｋＰａ］）を設定し、冷却装置１００に備えられる全ての噴射ヘッダー２、２、…（Ｎ本）を使用した場合の背圧実績をＰ０（Ｎ）とするとともに、Ｎ本の噴射ヘッダー２、２、…を使用した場合の全流量実績から噴射ヘッダー１本当たりの平均流量を算出し、これをＱ０（Ｎ）とする。
【００４３】
次に、本発明を用いてｎ本の噴射ヘッダー２、２、…から冷却水９、９、…を噴射した場合の、背圧実績Ｐｎ、及び、１本当たりの流量実績Ｑｎを測定する。これらの結果から、次のように全ての噴射ヘッダー２、２、…（Ｎ本）を使用した場合との変動比を算出する。
圧力変動比；α（ｎ）＝Ｐｎ／Ｐ０（Ｎ）
流量変動比；β（ｎ）＝Ｑｎ／Ｑ０（Ｎ）
ここで、噴射ヘッダーの使用本数ｎは１〜Ｎとなり得るが、ｎと対応して使用される噴射ヘッダー２、２、…は、実操業で使用される噴射ヘッダー２、２、…の優先順に準じる。そして、基準背圧に設定した場合に噴射ヘッダー２、２、…を全数使用した時の背圧をＰ０（Ｎ）、基準背圧に設定した場合に噴射ヘッダー２、２、…を全数使用した時の１本当たりの流量をＱ０（Ｎ）、噴射ヘッダー２、２、…をｎ本使用した時の圧力変動特性をα（ｎ）、噴射ヘッダー２、２、…をｎ本使用した時の流量変動特性をβ（ｎ）として、パラメータ設定する（ただし、α（Ｎ）＝β（Ｎ）＝１）。
【００４４】
次に、上記パラメータを熱伝達係数Ｈへフィードバックする方法について示す。
背圧がＰ、噴射ヘッダーの使用本数がｎに指定されたときの、計算背圧Ｐ（ｎ）及び噴射ヘッダー１本当たりの計算流量Ｑ（ｎ）は、次の式で求めることができる。
Ｐ（ｎ）＝α（ｎ）×Ｐ                                        （式１）
Ｑ（ｎ）＝β（ｎ）×Ｑ０（Ｎ）×（Ｐ／Ｐ０（Ｎ））１／２      （式２）
そして、噴射ヘッダー全数使用時（Ｐ０（Ｎ）、Ｑ０（Ｎ）の時）の熱伝達係数をＨ０とするとき、Ｈ０、Ｐ（ｎ）／Ｐ０（Ｎ）、及び、Ｑ（ｎ）／Ｑ０（Ｎ）の関数で表される次式へこの結果を反映することにより熱伝達係数Ｈを求め、温度制御に用いる。
Ｈ＝ｆ（Ｈ０、Ｐ（ｎ）／Ｐ０（Ｎ）、Ｑ（ｎ）／Ｑ０（Ｎ））    （式３）
【００４５】
３．冷却能力診断方法
以下、図１及び図２を適宜参照しつつ、本発明の冷却能力診断方法について説明する。
冷却装置１００の冷却能力診断時には、ＲＯＭ１２に記憶された測定パターンに関する情報が、出力ポート１６及び入力ポート２５を経て、ＣＰＵ２１へと伝えられる。ＰＬＣ２０は、ＣＰＵ２１の処理結果に基づいて、ＯＮ・ＯＦＦ弁５、５、…の動作及び背圧を制御し、噴射ヘッダー２、２、…から冷却水を噴射させる。このとき、例えば、タイマ２４及びＣＰＵ２１の処理に基づいて自動的に上記測定パターンを進めることにより、噴射パターンを変え、圧力計６及び流量計７により背圧及び流量を測定する。そして、圧力計６及び流量計７の測定結果は、入力ポート２５を経てＲＯＭ２２へと伝えられ、当該ＲＯＭ２２に順次記憶される。そして、上記測定パターンが全て完了すると、ＲＯＭ２２に記憶された上記測定結果（実績）が、出力ポート２６及び入力ポート１５を経てＲＯＭ１２へと伝えられる。ＲＯＭ２２には、上記測定パターンと上記実績に関する情報とが記憶される。
【００４６】
表１にＲＯＭ１２に記憶される測定パターン例を、図３に測定フロー例を、それぞれ示す。
【００４７】
【表１】
0004715534.tif 000002
噴射ヘッダー２、２、…の識別名を、図１の前段スタンド側（紙面左方）より順にＡ〜Ｊとする。なお、鋼板の上下に設置された噴射ヘッダー２、２、…はそれぞれ組となっている。表１のヘッダー優先順に、冷却水を噴射させる順番を登録する。このとき、優先順０は未使用とする。背圧に測定時の水圧を登録する。次に、圧力変更時ディレイは、測定開始時及び圧力変更時の圧力変更応答時間を考慮した時間を設定する。この圧力変更時ディレイ時間経過後に、圧力実績値がＲＯＭ２２に格納される。ヘッダー追加時ディレイには、ヘッダー追加後の流量実績読み込みタイミングを設定する。このヘッダー追加時ディレイに設定された時間が経過した後に、流量実績値がＲＯＭ２２に格納される。ホールド時間には次の噴射ヘッダーを追加するまでの待ち時間を設定する（図３参照）。ここに、モード欄の１とは、当該測定パターンが、噴射ヘッダーを優先順に従って追加し測定した後、当該優先順と逆に噴射ヘッダーを減らしながらの測定も行う形態であることを意味している。これに対し、モードを２に設定した場合は、噴射ヘッダーが優先順に従って追加される場合にのみ測定が行われることを意味している。
【００４８】
本発明の冷却能力診断方法では、ＲＯＭ１２に記憶された各基準パターンと対応する標準流量Ｃ２（＝Ａ２＝Ｂ２）と、冷却能力を診断する時に測定される冷却水９、９、…の流量Ｃ１との比Ｒ３（＝Ｃ１／Ｃ２）を用いる。そして、Ｒ３の値が１から所定値以上変化している場合（例えば、Ｒ３≦０．９５や、Ｒ３≧１．０５の場合）に異常と判断し、機械系（例えば、噴射ノズル８、８、…の交換や冷却水の背圧変更等）の調整を行う。なお、例えば、流量の測定結果が上記所定値以上低下している場合（例えば、Ｒ３≦０．９５の場合）は、噴射ノズル８、８、…が詰まっていると判断でき、噴射ノズル交換時期の目安とすることができる。また、流量の測定結果が上記所定値以上上昇している場合（例えば、Ｒ３≧１．０５の場合）は、噴射される冷却水の流量を調整可能な絞り機構による流量調整を行うことも可能であり、この異常判断には経験による人の判断を加えても良い。
【００４９】
なお、上記説明では、組合せ記憶手段、流量記憶手段、圧力記憶手段、及び、変動記憶手段としての機能を有するＲＯＭ１２が備えられる形態を例示したが、本発明は当該形態に限定されず、例えば、当該各手段と一対一に対応する複数の機器等が備えられる形態であっても良い。さらに、上記説明では、第１の修正手段及び第２の修正手段としての機能を有するＣＰＵ１１が備えられる形態を例示したが、本発明は当該形態に限定されず、第１の修正手段の機能を有する機器等と第２の修正手段の機能を有する機器等と、がそれぞれ備えられる形態であっても良い。
【００５０】
さらに、上記説明では、背圧制御及びヘッダーＯＮ・ＯＦＦ弁の動作制御を通じて流量制御に関する処理を実施可能なＣＰＵ２１、並びに、背圧測定値及び流量測定値と噴射パターンとを記憶可能なＲＯＭ２２が備えられる形態のＰＬＣ２０を例示したが、本発明において使用可能なＰＬＣの形態はこれに限定されない。本発明では、背圧及び流量を制御可能な制御部と、ヘッダーＯＮ・ＯＦＦ弁の動作を制御可能な制御部とが、それぞれ備えられるとともに、背圧測定値及び流量測定値とを記憶可能な実測値記憶部と、噴射パターンを記憶可能な噴射パターン記憶部とが、それぞれ備えられる形態のＰＬＣを用いることも可能である。
【実施例】
【００５１】
ＲＯＭ１２に記録された測定結果をもとに、圧力変動特性パラメータα（ｎ）及び流量変動特性パラメータβ（ｎ）が修正される形態の具体例を示す。
【００５２】
表１の１行目に例示したパターン（背圧：３００［ｋＰａ］、ヘッダー本数：Ｎ＝１０）を基準パターンとすると、優先順１（噴射ヘッダーＡ１本のみから冷却水が噴射される場合）測定時の背圧実績がＰ１、流量実績がＱ１となる。次に、優先順２（噴射ヘッダーＡ及びＢの２本から冷却水が噴射される場合）測定時の背圧実績がＰ２、流量実績の１／２がＱ２となる。以下同様に、優先順ｎ（ｎ本の噴射ヘッダーから冷却水が噴射される場合）測定時の背圧実績がＰｎ、流量実績の１／ｎがＱｎとなる。そして、優先順１０（Ａ〜Ｊの全１０本の噴射ヘッダーから冷却水が噴射される場合）を測定した結果の背圧実績がＰ１０＝Ｐ０（１０）であり、流量実績の１／１０がＱ１０＝Ｑ０（１０）となる。以上の結果から、噴射ヘッダーをｎ本使用した場合と、噴射ヘッダーを全数（Ｎ＝１０）使用した場合との変動比は、次のように算出することができる。
圧力変動比α（ｎ）＝Ｐｎ／Ｐ０（１０）
流量変動比β（ｎ）＝Ｑｎ／Ｑ０（１０）
この結果、例えば次のような圧力変動特性パラメータα（ｎ）及び流量変動特性パラメータβ（ｎ）を求めることができる。
ヘッダー全数使用した場合の背圧実績Ｐ０（Ｎ）：３００［ｋＰａ］
ヘッダー全数使用した場合の流量実績から算出されるＱ０（Ｎ）：１１５［ｍ３／ｈ］
α（１）＝１．１０、
α（２）＝１．０５、
α（３）＝１．０、
α（４）＝１．１、
α（５）＝１．０２、
α（６）＝１．０１、
α（７）＝１．０、
α（８）＝１．０、
α（９）＝１．０、
α（１０）＝１．０
β（１）＝１．３５、
β（２）＝１．３０、
β（３）＝１．２５、
β（４）＝１．２０、
β（５）＝１．２５、
β（６）＝１．２０、
β（７）＝１．１５、
β（８）＝１．１０、
β（９）＝１．０５、
β（１０）＝１．０
【００５３】
実操業においては、ＣＰＵ１１において、上記式１、式２、及び、式３を用いた処理により、上記圧力変動特性パラメータα（ｎ）及び流量変動特性パラメータβ（ｎ）、並びに、上記基本熱伝達係数Ｈ０を用いて、鋼板の温度降下に必要な噴射ヘッダー本数を計算する。
【００５４】
他方、圧力変動特性パラメータ及び流量変動特性パラメータ（上記α（１）〜α（１０）、及び、β（１）〜β（１０））を用いずに基本熱伝達係数のみで計算する場合（噴射ヘッダーの本数により背圧や流量が変化しないと仮定した場合）には、ｎ＝１〜１０において、α（ｎ）＝１．０、β（ｎ）＝１．０となる。上記圧力変動特性パラメータα（ｎ）及び流量変動特性パラメータβ（ｎ）、並びに、上記基本熱伝達係数Ｈ０を用いて、鋼板の温度降下に必要な噴射ヘッダー本数を計算して鋼板を冷却した場合と、基本熱伝達係数のみを用いて計算された結果に基づいて鋼板を冷却した場合と、における、温度制御差を以下に示す。なお、温度制御差の導出に用いた鋼板は、基本熱伝達係数で噴射ヘッダー１本当たり５℃の温度降下が可能な鋼板であった。
１本時誤差＝２．４℃
２本時誤差＝４．２℃
３本時誤差＝５．５℃
４本時誤差＝６．２℃
５本時誤差＝６．４℃
６本時誤差＝６．０℃
７本時誤差＝５．２℃
８本時誤差＝３．９℃
９本時誤差＝２．２℃
１０本時誤差＝０℃
本発明によれば、上記温度制御誤差分だけ、鋼板温度制御の高精度化を図ることが可能になる。
【００５５】
本発明が従来技術よりも優れている理由を以下に示す。
例えば、特許文献１に開示されている技術では、冷却するたびにバンク前後の温度実績から温度計に挟まれたバンクの冷却能力の補正係数を遂次学習し、補正された係数を用いることで温度制御の高精度化を図っている。しかし、かかる技術では、係数の補正が、水量実績のみによるものか、それとも、水量実績以外の要因（例えば、季節要因等）が取り込まれたものか、の判断をすることができないため、水量実績以外の要因に補正係数変化の原因がある場合であっても係数が補正される。それゆえ、噴射ノズルの水詰まりが解消された場合であっても、補正後の係数を用いた制御がなされる結果、温度制御の精度が低下する。これに対し、本発明では、水量実績と標準流量との比を用いて水詰まりか否かを診断しているので、水詰まりにより温度制御の精度が悪化した場合でも、補正係数を調整するといった誤った手段ではなく、水詰まりそのものに対処できる。そのため、本発明によれば、従来技術よりも温度制御の精度を向上させることが可能になる。
【００５６】
また、本発明において、ＲＯＭ１２に登録されるヘッダー優先順は、実操業で使用される優先順と同一にすることができる。そのため、本発明によれば、実操業で使用される代表的な噴射ヘッダーを選択して、当該噴射ヘッダーの異常判断や性能検出を実施できる。
【図面の簡単な説明】
【００５７】
【図１】本発明にかかる鋼材の冷却装置の形態例を示す概略図である。
【図２】噴射ヘッダーに備えられる噴射ノズルの様子を示す概略図である。
【図３】測定フロー例を示す概略図である。
【符号の説明】
【００５８】
１  鋼材（鋼板）
２  噴射ヘッダー
３  冷却水ポンプ
４  管路
５  ＯＮ・ＯＦＦ弁
６  圧力計（圧力測定手段）
７  流量計（流量測定手段）
８  噴射ノズル
９  冷却水（冷却媒体）
１０  制御手段（プロセスコンピュータ）
１１  ＣＰＵ（第１の修正手段、第２の修正手段）
１２  ＲＯＭ（組合せ記憶手段、流量記憶手段、圧力記憶手段、変動記憶手段）
２０  ＰＬＣ
２１  ＣＰＵ
２２  ＲＯＭ
１００  鋼材の冷却装置
【図１】
0004715534.tif 000003
【図２】
0004715534.tif 000004
【図３】
0004715534.tif 000005